(57)【要約】【課題】構造が単純で組み立て作業やメンテナンス作業が容易にできるディスプレイ装置を提供する。【解決手段】側面カバー材４はカバー本体３及び基枠２に対して着脱自在であり、基枠２はカバー本体３から左右方向にスライドして着脱自在であり、バックライト６１、６２が上下枠２１、２２の取付溝２１ａ、２２ａの底部に着脱自在に配置してある構成を前述した従来の課題を解決するための手段としている。また、基枠２はカバー本体３から左右方向にスライドして着脱自在であり、基枠２の上下枠２１、２２および左右枠２３、２４は、その長手方向に沿って凹部を有し、スピーカー基盤７および回路基盤８が凹部内に着脱自在に配置してある構成を前述した従来の課題を解決するための手段としている。【選択図】　　　　図１
2004138937.tif 000002
【特許請求の範囲】
【請求項１】
上下左右枠で枠組みした基枠と、基枠に取付ける画像標示基盤、回路基盤、スピーカー基盤及び画像標示基盤のバックライトと、基枠の上枠をカバーする上カバー材、下枠をカバーする下カバー材及び上下カバー材を連結する背面カバー材から構成するカバー本体と、カバー本体及び基枠の側面をカバーする左右の側面カバー材とを備え、基枠の上下左右枠は、内周側に画像標示基盤の端部を呑み込む取付溝を有しており、側面カバー材はカバー本体及び基枠に対して着脱自在であり、基枠はカバー本体から左右方向にスライドして着脱自在であり、バックライトが上下枠の取付溝の底部に着脱自在に配置してあることを特徴とするディスプレイ装置。
【請求項２】
上下左右枠で枠組みした基枠と、基枠に取付ける画像標示基盤、回路基盤、スピーカー基盤及び画像標示基盤のバックライトと、基枠の上枠をカバーする上カバー材、下枠をカバーする下カバー材及び上下カバー材を連結する背面カバー材から構成するカバー本体と、カバー本体及び基枠の側面をカバーする左右の側面カバー材とを備え、基枠の上下左右枠は、内周側に画像標示基盤の端部を呑み込む取付溝を有しており、側面カバー材はカバー本体及び基枠に対して着脱自在であり、基枠はカバー本体から左右方向にスライドして着脱自在であり、基枠の上下枠及び左右枠はその長手方向に沿って凹部を有し、回路基盤が上下枠の凹部内に着脱自在に、且つ、スピーカー基盤が左右枠の凹部内に着脱自在に配置してあることを特徴とするディスプレイ装置。
【発明の詳細な説明】
【０００１】
【発明が属する技術分野】
本発明は、フラットパネル型のディスプレイ装置に関するものである。
【０００２】
【従来の技術】
従来から知られているディスプレイ装置として例えば、特開平１１−２５９００９では画像標示装置の外筐に係合溝を設け、この係合溝に装飾枠（カバー材）をスライドして着脱自在に係合する構造、或いは、特開平１１−２５８５９９号では先ず枠体にバックライト体を挟持させた後、枠体に別に設けた溝部に液晶セルを挿入固定する構造が開示されている。
【０００３】
【発明が解決しようとする課題】
しかし、上記した従来のディスプレイ装置において、例えば、特開平１１−２５９００９に開示されている構造では、既存の画像標示装置の外筐体に係合溝を設けてカバー材の係合突条部をスライド挿入するようにしているのでカバー材の着脱は容易になっているがバックライト、回路基盤、スピーカー、等の取り付けについては何の開示も無い。また、特開平１１−２５８５９９号ではバックライト体を枠体に固定したバックライト構体に液晶セルの挿入溝を設けて液晶セルの挿入組み立てを容易にしたものであるが、光源の着脱が自在にできないという問題がある。従来からこれらの組み立て作業、あるいはメンテナンス作業に時間がかかるという問題があり、これらの問題を解決することが従来の課題となっていた。
【０００４】
【発明の目的】
本発明は、上記した従来の課題に着目してなされたもので、バックライトや回路基盤、スピーカー基盤など画像標示基盤に付随する装置の取り付け部をも含めて枠体およびカバー材の構造が単純で組み立て作業やメンテナンス作業が容易にできるディスプレイ装置を提供することを目的としている。
【０００５】
【課題を解決するための手段】
請求項１に記載の発明は、上下左右枠で枠組みした基枠と、基枠に取付ける画像標示基盤、回路基盤、スピーカー基盤及び画像標示基盤のバックライトと、基枠の上枠をカバーする上カバー材、下枠をカバーする下カバー材及び上下カバー材を連結する背面カバー材から構成するカバー本体と、カバー本体及び基枠の側面をカバーする左右の側面カバー材とを備え、基枠の上下左右枠は、内周側に画像標示基盤の端部を呑み込む取付溝を有しており、側面カバー材はカバー本体及び基枠に対して着脱自在であり、基枠はカバー本体から左右方向にスライドして着脱自在であり、バックライトが上下枠の取付溝の底部に着脱自在に配置してある構成を前述した従来の課題を解決するための手段としている。
【０００６】
請求項２に記載の発明は、上下左右枠で枠組みした基枠と、基枠に取付ける画像標示基盤、回路基盤、スピーカー基盤及び画像標示基盤のバックライトと、基枠の上枠をカバーする上カバー材、下枠をカバーする下カバー材及び上下カバー材を連結する背面カバー材から構成するカバー本体と、カバー本体及び基枠の側面をカバーする左右の側面カバー材とを備え、基枠の上下左右枠は、内周側に画像標示基盤の端部を呑み込む取付溝を有しており、側面カバー材はカバー本体及び基枠に対して着脱自在であり、基枠はカバー本体から左右方向にスライドして着脱自在であり、基枠の上下枠及び左右枠はその長手方向に沿って凹部を有し、回路基盤が上下枠の凹部内に着脱自在に、且つ、スピーカー基盤が左右枠の凹部内に着脱自在に配置してある構成を前述した従来の課題を解決するための手段としている。
【０００７】
【発明の作用】
請求項１の発明では、基枠は上下左右枠で枠組みして、上下左右枠の内周側に画像標示基盤の端部を呑み込む取付溝を有する構成としているので、基枠は左右枠の取り付け溝に画像標示基盤の左右両側端部を呑み込み挟持固定した状態で、上下枠のそれぞれ長手方向左右両端部に設けた係合部に左右枠のそれぞれ長手方向上下端部に設けた被係合部を挿入当接して固定すればよく、基枠の組み立てが容易である。また、画像標示基盤の上下に取り付けるバックライトは上下枠の取付溝の底部に着脱自在に配置して有るので基枠を組み立てた後でも容易に組み込む事ができるし、メンテナンス時にも基枠を分解する必要がないのでメンテナンス作業が容易に行なえるようになるという大きな効果が得られる。さらに、基枠はカバー本体から左右方向にスライドして着脱自在に設けてあり、併せて、側面カバー材はカバー本体および基枠に対して着脱自在に設けてあるので、基枠へのカバー本体および側面カバー材の組み付けも容易になるという効果が得られる。
【０００８】
請求項２の発明では、基枠は上下左右枠で枠組みして、上下左右枠の内周側に画像標示基盤の端部を呑み込む取付溝を有する構成としているから、基枠は左右枠の取り付け溝に画像標示基盤の左右両側端部を呑み込み挟持固定した状態で、上下枠のそれぞれ長手方向左右両端部に設けた係合部に左右枠のそれぞれ長手方向上下端部に設けた被係合部を挿入当接して固定すればよく、基枠の組み立てが容易である。また、回路基盤が上下枠の凹部内に着脱自在に、且つ、スピーカー基盤が左右枠の凹部内に着脱自在に配置してあるので基枠を組み立てた後でも容易に回路基盤やスピーカー基盤の位置決め、組み付けや配線接続の作業を行なうことができるし、メンテナンス時にも基枠を分解する必要がないのでメンテナンス作業が容易に行なえるという大きな効果が得られる。さらに、基枠はカバー本体から左右方向にスライドして着脱自在に設けてあり、併せて、側面カバー材はカバー本体および基枠に対して着脱自在に設けてあるので、基枠へのカバー本体および側面カバー材の組み付けも容易になるという効果が得られる。
【０００９】
【発明の実施の形態】
以下、本発明の実施の形態を図面に基づいて説明する。
【００１０】
図１は本発明のディスプレイ装置の第一実施形態を左斜め前面側から見た状態で示す組立分解斜視図であり、図１の上部には組立後の基枠２のカバー本体３及び側面カバー材４、４との組み付け前の状態図を、そして右側下部には本実施形態のディスプレイ装置１の組立後の全体外観を表わす斜視図を示している。図２は本実施形態のディスプレイ装置１の要部を構成する基枠２を右斜め背面側から見た状態で示す組立分解斜視図であり、図２の上部には基枠２の分解図を示し、中央下部には基枠２の組立後、回路基盤８およびスピーカー基盤７、７の組み付け前の状態を表わす分解斜視図を示している。図３は図１に示したディスプレイ装置１のＡ−Ａ線断面拡大図、図４は同じく図１に示したディスプレイ装置１のＢ−Ｂ線Ｃ−Ｃ部分の断面拡大図であり、図５は図２に示した基枠２の右枠２４と上枠２１および下枠２２との突き合わせ係合部の詳細を示す部分拡大斜視図である。図１および図２に示すとおり、本発明の実施形態のディスプレイ装置１は画像標示基盤５の四周を上枠２１、下枠２２、左枠２３および右枠２４で形成する基枠２で保持し、上下のバックライト６１、６２、左右のスピーカー基盤７、７および回路基盤８を基枠２に組み付けて、上カバー材３１、下カバー材３２および背面カバー材３３で形成するカバー本体３に基枠２を側方からスライド挿入し、基枠２の両側方に側面カバー材４をビス止め固定するようにしたものである。基枠２を構成する上枠２１、下枠２２、左枠２３および右枠２４、また、ディスプレイ装置１の外周を囲う上カバー材３１、下カバー材３２および背面カバー材３３はいずれも軽金属合金系の押出し形材を用いている。また、側面カバー材４も軽金属合金系の素材を用いている。
【００１１】
図１および図３に示すとおり、背面カバー材３３は上下両端部に上カバー材３１および下カバー材３２と嵌合一体化する嵌合突条部３３ａおよび嵌合溝部３３ｂを設けてあり、上カバー材３１の背面側下端部および下カバー材３２の背面側上端部にはそれぞれ前記背面カバー材３３の嵌合突条部３３ａおよび嵌合溝部３３ｂと嵌合一体化する被嵌合溝部３１ａ、３２ａおよび被嵌合突条部３１ｂ、３２ｂを設けてあって、上カバー材３１および下カバー材３２と背面カバー材３３とはそれぞれ被嵌合溝部３１ａ、３２ａと嵌合突条部３３ａとが、また、被嵌合突条部３１ｂ、３２ｂと嵌合溝部３３ｂとが、互いに嵌合して一体化し、カバー本体３を形成している。また、上カバー材３１は下方に開口し、上枠２１を長手方向にスライド挿入して呑み込む上枠収納部３１ｃを有し、下カバー材３２は上方に開口し、下枠２２を長手方向にスライド挿入して呑み込む下枠収納部３２ｃを有している。
【００１２】
図３に示す如く、上枠２１および下枠２２はそれぞれ基枠２の内周面側に開口する取付溝２１ａおよび２２ａを有しており、取付溝２１ａに上バックライト６１を挿入すると共に、画像標示基盤５の上端部を呑み込み固定するように設けてあり、取付溝２２ａに下バックライト６２を挿入すると共に、画像標示基盤５の下端部を呑み込み固定するように設けてある。また、上枠２１の外周側には背面側に向けて略コの字状に開口する凹部（上部配線挿通部）２１ｂを設けてあり、下枠２２の外周側には背面側に向けて略コの字状に開口する凹部（下部配線挿通部）２２ｂを設けてある。上枠２１および下枠２２の前面側および背面側にはそれぞれ上カバー材３１および下カバー材３２の上枠収納部３１ｃおよび下枠収納部３２ｃの内面に当接摺動可能とした複数の突条部が設けてある。
【００１３】
図４に示す如く、左枠２３および右枠２４はそれぞれ基枠２の内周面側に開口する取付溝２３ａおよび２４ａを有して画像標示基盤５の左右両端部を呑み込み固定するように設けてあるとともに、それぞれ前面側に開口する凹部（左スピーカー取付部）２３ｂおよび凹部（右スピーカー取付部）２４ｂを設けてある。左スピーカー取付部２３ｂおよび右スピーカー取付部２４ｂの開口部の前面側には開口部の左右両側端部から対向して同一面上に延出するそれぞれ一対づつの固定フィン２３ｃ、２３ｃおよび２４ｃ、２４ｃを設けてあり、左スピーカー取付部２３ｂおよび右スピーカー取付部２４ｂに取り付けたスピーカー基盤７、７を固定する働きをする。また図２および図５に示す如く、左枠２３および右枠２４と上枠２１との接合部は、左枠２３および右枠２４の固定フィン２３ｃ、２３ｃおよび２４ｃ、２４ｃを上枠２１側に切り残し延出した上部延出片２３ｄ、２３ｄおよび２４ｄ、２４ｄが挿通するように、上カバー材３１の上枠収納部３１ｃの内面に当接摺動可能に設けてある上枠２１の複数の突条部の内の背面下側突条部２１ｃに切欠部２１ｄ、２１ｄ、２１ｄ、２１ｄを設け、左枠２３および右枠２４の上端面を上枠２１の下面に当接するとともに、上部延出片２３ｄ、２３ｄおよび２４ｄ、２４ｄを切欠部２１ｄ、２１ｄ、２１ｄ、２１ｄに挿通するとともに上枠２１の上部配線挿通部２１ｂの開口下端部まで延出し、且つ、上部延出片２３ｄ、２３ｄおよび２４ｄ、２４ｄの前面側と上枠２１の背面側との当接面において背面側からビス止めすることによって左枠２３および右枠２４と上枠２１とを当接固定するように設けてある。また同様に、左枠２３および右枠２４と下枠２２との接合部は、左枠２３および右枠２４の固定フィン２３ｃ、２３ｃおよび２４ｃ、２４ｃを下枠２２側に切り残し延出した下部延出片２３ｅ、２３ｅおよび２４ｅ、２４ｅが挿通するように、下カバー材３２の下枠収納部３２ｃの内面に当接摺動可能に設けてある下枠２１の複数の突条部の内の背面上側突条部２２ｃに切欠部２２ｄ、２２ｄ、２２ｄ、２２ｄを設け、左枠２３および右枠２４の下端面を下枠２２の上面に当接するとともに、下部延出片２３ｅ、２３ｅおよび２４ｅ、２４ｅを切欠部２２ｄ、２２ｄ、２２ｄ、２２ｄに挿通するとともに下枠２２の下部配線挿通部２２ｂの開口上端部まで延出し、且つ、下部延出片２３ｅ、２３ｅおよび２４ｅ、２４ｅの前面側と下枠２２の背面側との当接面において背面側からビス止めすることによって左枠２３および右枠２４と下枠２２とを当接固定するように設けてある。
【００１４】
以下に、組立ての手順を図２および図１を用いて順を追って説明する。
【００１５】
図２に示すように、画像標示基盤５は左枠２３の取付溝２３ａおよび右枠２４の取付溝２４ａの所定位置に挿入することによって左枠２３および右枠２４で挟持固定する。次いで、左枠２３の上部延出片２３ｄ、２３ｄおよび右枠２４の上部延出片２４ｄ、２４ｄを上枠２１の切欠部２１ｄ、２１ｄ、２１ｄ、２１ｄに挿通して上枠２１の下面と左枠２３および右枠２４の上端面とを当接し、基枠固定ねじ８ａで上枠２１と左枠２３および右枠２４とをねじ止め固定する。さらに、左枠２３の下部延出片２３ｅ、２３ｅおよび右枠２４の下部延出片２４ｅ、２４ｅを下枠２２の切欠部２２ｄ、２２ｄ、２２ｄ、２２ｄに挿通して下枠２２の上面と左枠２３および右枠２４の下端面とを当接し、基枠固定ねじ８ａで下枠２２と左枠２３および右枠２４とをねじ止め固定する。以上の工程で組み立てた基枠２の側面には上枠２１の取付溝２１ａおよび下枠２２の取付溝２２ａの端面が露出しているので、上枠２１の取付溝２１ａに上バックライト６１を基枠２の側方から挿入して所定位置に固定し、下枠２２の取付溝２２ａに下バックライト６２を基枠２の側方から挿入して所定位置に固定する。左枠２３のスピーカー取付部２３ｂにはスピーカー基盤７を背面左右端部が左枠２３の固定フィン２３ｃにかかる所定位置に挿入して固定し、右枠２４のスピーカー取付部２４ｂにはスピーカー基盤７を前面左右端部が右枠２４の固定フィン２４ｃにかかる所定位置に挿入して固定する。更に、下枠２２の下部配線挿通部２２ｂの所定位置に回路基盤８を挿入して固定し、最後に配線の組み付けを行なう。
【００１６】
以上の工程で基枠２への画像標示基盤５、画像標示基盤５の上バックライト６１および下バックライト６２、回路基盤８、および左右のスピーカー基盤７、７の組み付け工程を完了し、次に、上カバー材３１および下カバー材３２と背面カバー材３３とを嵌合して形成したカバー本体３の側方から上枠収納部３１ｃに上枠２１が、下枠収納部３２ｃに下枠２２がそれぞれ収納されるように前記の基枠２をカバー本体３に挿入し、最後に、左右の両側面に側面カバー材４、４を当接してカバー材固定ねじ８ｂでねじ止め固定することによって、ディスプレイ装置１の組み立てを完了する。このようにして組み立てたディスプレイ装置１は上バックライト６１および下バックライト６２、或いは回路基盤８や左右のスピーカー基盤７、７のメンテナンスが必要な場合には、カバー材固定ねじ８ｂでねじ止め固定してある側面カバー材４を取り外せば、基枠２を容易に引き抜くことができ、かつ、基枠２は基枠固定ねじ８ａを外すことなく、上バックライト６１および下バックライト６２は基枠２の側面から引き抜き取り外し、或いは取り付ける事が容易であり、左右のスピーカー基盤７、７および回路基盤８も基枠２の背面側から引き抜き取り外し、或いは取り付け、配線の取り替え等が容易なので、これらのメンテナンスも容易に行なえるものである。
【００１７】
尚、従来のディスプレイ装置のフレーム材においてはディスプレイ装置自体から発生する電磁波による障害（ＥＭＩ）を低減する為の対策としてフレームの裏面にシールド材を蒸着若しくは貼り付けしていた為にコスト高となり、また、リサイクルも困難であったが、上述の如く組み立てた本発明の第一実施形態のディスプレイ装置においては、既述の通り基枠２を構成する上枠２１、下枠２２、左枠２３および右枠２４、また、ディスプレイ装置１の外周を囲う上カバー材３１、下カバー材３２および背面カバー材３３、側面カバー材４はいずれも軽金属合金系の材料を用いているので、上下枠２１、２２と左右枠２３、２４との接合面や、上カバー材３１および下カバー材３２と背面カバー材３３との接合面、および、上カバー材３１、下カバー材３２および背面カバー材３３と側面カバー材４との接合面については塗膜を付与せずに接合することによってディスプレイ装置全体を一体の軽金属体で覆っていることとなり、構成素材自体の持つ高い電磁波シールド効果を活かしたＥＭＩ対策に極めて有効なディスプレイ装置を提供できるものであり、また、軽金属合金系の素材自体が極めてリサイクル性の高い素材であるから家電メーカーに要求される資源回収時の負担を軽減することも可能となるという大きな効果が得られるものである。また、例えば上下のカバー材３１、３２と背面カバー材３３との接合について、先述の如く押出し形材を用い、且つ、嵌合による接合方式を用いることによって、ディスプレイ装置のフレームを構成するパーツを細分化することが可能であり、フレーム破損時の補修費を低減し、また、リサイクル時の製品分解や搬送が容易になるという効果をも得ることができるものである。
【００１８】
本発明は、上述した実施の形態に限らず、本発明の趣旨を逸脱しない範囲で種々の変更が可能である。例えば、基枠の組み立て手順は上述した手順に限るものでなく、上下のバックライトを先に上下枠の所定位置に組み込んでから、或いは、左右のスピーカー基盤を先に左右枠の所定位置に組み込んでから、画像標示基盤および左右枠と上下枠とを組み立てても良い。また、上述した本発明のディスプレイ装置に用いられる画像標示基盤はＬＣＤ（液晶ディスプレイ）基盤に限られるものでなく、ＰＤＰ（プラズマディスプレイパネル）、ＦＥＤ（フィールドエミッションディスプレイ）や有機ＥＬディスプレイ、等、各種の標示基盤を適用することができる。
【００１９】
【発明の効果】
以上説明してきたように、本発明の請求項１に係わる発明では、基枠の組み立てが容易になるとともに、画像標示基盤の上下に取り付けるバックライトの組み込みやメンテナンス作業が容易に行なえるようになるという大きな効果が得られ、さらに、基枠へのカバー本体および側面カバー材の組み付け作業も単純で容易に行なえるという大きな効果も得られる。
【００２０】
本発明の請求項２に係わる発明では、基枠の組み立てが容易になるとともに、回路基盤やスピーカー基盤の組み付け、位置決めや配線接続の作業およびメンテナンスが容易にできるという非常に優れた効果が得られ、さらに、基枠へのカバー本体および側面カバー材の組み付け作業も単純で容易に行なえるという大きな効果も得られる。
【図面の簡単な説明】
【図１】第一実施形態のディスプレイ装置を左斜め前面側から見た状態で示す分解組立斜視図である。
【図２】第一実施形態のディスプレイ装置の基枠部分を右斜め背面側から見た状態で示す分解組立斜視図である。
【図３】図１に示したディスプレイ装置のＡ−Ａ断面拡大図である。
【図４】図１に示したディスプレイ装置のＢ−Ｂ断面Ｃ−Ｃ部分拡大図である。
【図５】図２に示したディスプレイ装置の基枠の右枠と上下枠との接合部の詳細を示す部分拡大図である。
【符号の説明】
１　　　ディスプレイ装置
２　　　基枠
２１　　上枠
２２　　下枠
２３　　左枠
２４　　右枠
２１ａ、２２ａ、２３ａ、２４ａ　　取付溝
２１ｂ　凹部（上部配線挿通部）
２２ｂ　凹部（下部配線挿通部）
２３ｂ　凹部（左スピーカー取付部）
２４ｂ　凹部（右スピーカー取付部）
２１ｃ　上枠の背面下側突条部
２２ｃ　下枠の背面上側突条部
２３ｃ、２４ｃ　　固定フィン
２１ｄ、２２ｄ　　切欠部
２３ｄ、２４ｄ　　上部延出片
２３ｅ、２４ｅ　　下部延出片
３　　　カバー本体
３１　　上カバー材
３２　　下カバー材
３３　　背面カバー材
４　　　側面カバー材
５　　　画像標示基盤
６１　　上バックライト
６２　　下バックライト
７　　　スピーカー基盤
８　　　回路基盤
【図１】
2004138937.tif 000003
【図２】
2004138937.tif 000004
【図３】
2004138937.tif 000005
【図４】
2004138937.tif 000006
【図５】
2004138937.tif 000007